【事件の表示】
　特許第３４３９７２７号「弾球遊技機の入賞装置」の請求項１に係る特許に対する特許異議の申立てについて、次のとおり決定する。
【結　論】
　訂正を認める。
　特許第３４３９７２７号の請求項１に係る特許を維持する。
【理　由】
１．手続の経緯
　特許第３４３９７２７号の請求項１に係る発明についての特許出願は、平成５年１０月２１日に出願された特許出願（特願平５−２８７７６９号）の一部を特許法第４４条第１項の規定により、平成１２年７月１８日に新たな特許出願としたものであって、平成１５年６月１３日にその特許権の設定登録がなされ、その後、平成１５年１２月２６日付けで町田彬より特許異議の申立てがなされ、平成１６年２月２５日付けで特許異議申立て理由補充がなされ、平成１７年５月３０日付けで当審より取消理由が通知され、その指定期間内である平成１７年８月５日に訂正請求がなされたものである。
　　　　　
２．訂正の適否についての判断
（２−１）訂正の内容
ア．訂正事項ａ
　願書に添付した明細書（以下、「特許明細書」という。）の特許請求の範囲の請求項１中の「弾球遊技機の入賞装置において、」の後に、「前記開閉板（２９）は前記枢軸（６４）を前記開口部（３２）の下部近傍で枢支されており、」を挿入する。
イ．訂正事項ｂ
　特許明細書の特許請求の範囲の請求項１中の「前記開閉板（２９）が開状態のときに」を、「前記開閉板（２９）が前記枢軸（６４）廻りに前側に揺動して前記開口部（３２）を開いた開状態のときに」と訂正する。
ウ．訂正事項ｃ
　特許明細書の特許請求の範囲の請求項１中の「遊技球（Ｂ）を受けて停留させ」を、「遊技球（Ｂ）を受けて前記枢軸（６４）よりも前側で停留させ」と訂正する。
エ．訂正事項ｄ
　特許明細書の特許請求の範囲の請求項１中の「連動部材（５７）に設け、」の後に、「前記停留部（６７）は、前記遊技球が１個収まる程度に左右に間隔をあけて前記開閉板（２９）に突設された一対の側板（６８）を備え、」を挿入する。
オ．訂正事項ｅ
　特許明細書の特許請求の範囲の請求項１中の「前記停留部（６７）を構成する」を削除する。
カ．訂正事項ｆ
　特許明細書の特許請求の範囲の請求項１中の「前記開閉板（２９）側の側板（６８）に対向するように」を、「前記開閉板（２９）側の前記側板（６８）に対して前記遊技球（Ｂ）の直径よりも小さい間隔で上下に対向するように」と訂正する。
キ．訂正事項ｇ
　特許明細書の段落【０００７】中の「弾球遊技機の入賞装置において、」の後に、「前記開閉板２９は前記枢軸６４を前記開口部３２の下部近傍で枢支されており、」を挿入する。
ク．訂正事項ｈ
　特許明細書の段落【０００７】中の「前記開閉板２９が開状態のときに」を、「前記開閉板２９が前記枢軸６４廻りに前側に揺動して前記開口部３２を開いた開状態のときに」と訂正する。
ケ．訂正事項ｉ
　特許明細書の段落【０００７】中の「遊技球Ｂを受けて停留させ」を、「遊技球Ｂを受けて前記枢軸６４よりも前側で停留させ」と訂正する。
コ．訂正事項ｊ
　特許明細書の段落【０００７】中の「連動部材５７に設け、」の後に、「前記停留部６７は、前記遊技球が１個収まる程度に左右に間隔をあけて前記開閉板２９に突設された一対の側板６８を備え、」を挿入する。
サ．訂正事項ｋ
　特許明細書の段落【０００７】中の「前記停留部６７を構成する」を削除する。
シ．訂正事項ｌ
　特許明細書の段落【０００７】中の「前記開閉板２９側の側板６８に対向するように」を、「前記開閉板２９側の前記側板６８に対して前記遊技球Ｂの直径よりも小さい間隔で上下に対向するように」と訂正する。
ス．訂正事項ｍ
　特許明細書の段落【００３８】中の「弾球遊技機の入賞装置において、」の後に、「開閉板２９は枢軸６４を開口部３２の下部近傍で枢支されており、」を挿入する。
セ．訂正事項ｎ
　特許明細書の段落【００３８】中の「開閉板２９が開状態のときに」を、「開閉板２９が枢軸６４廻りに前側に揺動して開口部３２を開いた開状態のときに」と訂正する。
ソ．訂正事項ｏ
　特許明細書の段落【００３８】中の「遊技球Ｂを受けて停留させ」を、「遊技球Ｂを受けて枢軸６４よりも前側で停留させ」と訂正する。
タ．訂正事項ｐ
　特許明細書の段落【００３８】中の「連動部材５７に設け、」の後に、「停留部６７は、遊技球が１個収まる程度に左右に間隔をあけて開閉板２９に突設された一対の側板６８を備え、」を挿入する。
チ．訂正事項ｑ
　特許明細書の段落【００３８】中の「停留部６７を構成する」を削除する。
ツ．訂正事項ｒ
　特許明細書の段落【００３８】中の「開閉板２９側の側板６８に対向するように」を、「開閉板２９側の側板６８に対して遊技球Ｂの直径よりも小さい間隔で上下に対向するように」と訂正する。
テ．訂正事項ｓ
　【図１】に、当接リブを示す符号７２及びその引き出し線を追加する。
　　　　
（２−２）訂正の目的、新規事項の有無及び拡張．変更の存否
　上記訂正事項ａは、開閉板（２９）の構成を限定するものであり、そして、このことは、特許図面の【図６】に記載されているものと認められるから、当該訂正事項ａは、特許明細書又は図面に記載した事項の範囲内において開閉板（２９）の構成を限定したものであり、特許請求の範囲の減縮を目的とした明細書の訂正に該当し、
　上記訂正事項ｂは、開閉板（２９）の開状態の構成を限定するものであり、そして、このことは、特許明細書の段落【００２７】中の「開閉板２９は図１に示すように、枢軸６４廻りに開位置まで回動する」及び特許図面の【図１】に記載されているものと認められるから、当該訂正事項ｂは、特許明細書又は図面に記載した事項の範囲内において開閉板（２９）の開状態の構成を限定したものであり、特許請求の範囲の減縮を目的とした明細書の訂正に該当し、
　上記訂正事項ｃは、遊技球（Ｂ）の停留位置を限定するものであり、そして、このことは、特許図面の【図１】に記載されているものと認められるから、当該訂正事項ｃは、特許明細書又は図面に記載した事項の範囲内において遊技球（Ｂ）の停留位置を限定したものであり、特許請求の範囲の減縮を目的とした明細書の訂正に該当し、
　上記訂正事項ｄは、停留部（６７）の構成を限定するものであり、そして、このことは、特許明細書の段落【００２３】中の「停留部６７は遊技球Ｂが１個収まる程度に左右に間隔をあけて突設された側板６８」に記載されているものと認められるから、当該訂正事項ｄは、特許明細書又は図面に記載した事項の範囲内において停留部（６７）の構成を限定したものであり、特許請求の範囲の減縮を目的とした明細書の訂正に該当し、
　上記訂正事項ｅは、上記訂正事項ｄにより側板（６８）が停留部（６７）を構成するものであることが明らかとなったことに基づいて、これと重複する記載を削除するものであるから、明りょうでない記載の釈明を目的とした明細書の訂正に該当し、
　上記訂正事項ｆは、側板（６８）と当接リブ（７２）との関係を限定するものであり、そして、このことは、特許図面の【図１】、【図２】及び【図６】に記載されているものと認められるから、当該訂正事項ｆは、特許明細書又は図面に記載した事項の範囲内において側板（６８）と当接リブ（７２）との関係を限定したものであり、特許請求の範囲の減縮を目的とした明細書の訂正に該当し、
　上記訂正事項ｇ〜ｌ及び上記訂正事項ｍ〜ｒは、それぞれ上記訂正事項ａ〜ｆと整合を図るものであるから、明りょうでない記載の釈明を目的とした明細書の訂正に該当し、
　上記訂正事項ｓは、【図１】に、当接リブを示す符号７２及びその引き出し線を追加するものであり、そして、追加した引き出し線で示す部分が当接リブ７２であることは、特許図面の【図２】及び【図６】に記載されているものと認められるから、当該訂正事項ｓは、特許明細書又は図面に記載した事項の範囲内において【図１】を訂正したものであり、明りょうでない記載の釈明を目的とした図面の訂正に該当し、
　いずれも、新規事項の追加に該当せず、実質上特許請求の範囲を拡張し、又は変更するものではない。
　　　　
（２−３）むすび
　したがって、上記訂正は、特許法の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　　　　
３．特許異議の申立て及び取消理由についての判断
（３−１）本件発明
　上記（２−３）の所に記したように、上記訂正が認められるので、本件の請求項１に係る発明（以下、「本件発明」という。）は、上記訂正請求に係る訂正明細書の特許請求の範囲の請求項１に記載された事項により特定される下記のとおりである。
　「１．内部が複数個の通路（４３）に区画された開口部（３２）と、横方向の枢軸（６４）廻りに前記開口部（３２）を開閉しかつ開状態のときに上方から落下する遊技球（Ｂ）を前記開口部（３２）内に案内する開閉板（２９）と、該開閉板（２９）を開閉操作する開閉駆動手段（５６）とを備え、前記複数個の通路（４３）の何れかを特定通路（４３ａ）とした弾球遊技機の入賞装置において、前記開閉板（２９）は前記枢軸（６４）を前記開口部（３２）の下部近傍で枢支されており、前記開閉板（２９）が前記枢軸（６４）廻りに前側に揺動して前記開口部（３２）を開いた開状態のときに遊技球（Ｂ）を受けて前記枢軸（６４）よりも前側で停留させかつ前記開閉板（２９）の閉動作時に停留中の遊技球（Ｂ）を前記特定通路（４３ａ）へと案内する停留部（６７）を前記開閉板（２９）に設け、前記開閉板（２９）の開放中に前記特定通路（４３ａ）への遊技球（Ｂ）の侵入を阻止する阻止部（７３）を、前記開閉駆動手段（５６）と前記開閉板（２９）とを連動させる連動部材（５７）に設け、前記停留部（６７）は、前記遊技球が１個収まる程度に左右に間隔をあけて前記開閉板（２９）に突設された一対の側板（６８）を備え、前記開口部（３２）が形成されたフロント板（２６）の上壁（３３）に、前記開閉板（２９）が閉状態のときに前記開閉板（２９）の後面が当接する当接リブ（７２）を、前記開閉板（２９）側の前記側板（６８）に対して前記遊技球（Ｂ）の直径よりも小さい間隔で上下に対向するように左右に間隔をあけて下方に突設したことを特徴とする弾球遊技機の入賞装置。」
　　　
（３−２）特許異議申立て理由の概要
　申立人は、平成１６年２月２５日付け特許異議申立理由補充書において、下記の証拠方法を提出し、本件発明は、甲第１号証に記載された発明及び周知技術に基づき当業者が容易に発明をすることができたものであるから、特許法第２９条第２項の規定により特許を受けることができないものであり、その特許は、取り消されるべきものであると主張している。
　また、特許異議申立書には、下記甲第１号証〜甲第３号証の他に、特開平５−２２０２６０号公報、特開平５−２２０２６１号公報、特開平４−２３１０８６号公報が引用されている（なお、これらの引用例は、特許異議申立理由補充書２２ページ２１，２２行に、甲第２号証と同様のものとして記載されている）。
　甲第１号証：実願昭６２−５６３９２号（実開昭６３−１６３８７４号）
　　　　　　　のマイクロフィルム）
　甲第２号証：特開平５−２２０２５９号公報
　甲第３号証：特開平５−１３１０５５号公報
　　　　　　
（３−３）取消理由の概要
　当審において通知した取消理由には、上記（３−２）と同様の特許法第２９条第２項違反の理由と共に、本件発明は、停留部６７の左右を確実に規制する構成が不明瞭であるから、特許を受けようとする発明が発明の詳細な説明に記載したものではなく、また、特許を受けようとする発明の構成に欠くことができない事項のみを記載したものでもないという特許法第３６条第５項第１，２号違反の理由が挙げられている。
　　
（３−４）特許法第２９条第２項違反について
（３−４−１）異議申立人が引用した刊行物
　引用例１：実願昭６２−５６３９２号（実開昭６３−１６３８７４号）
　　　　　　のマイクロフィルム（甲第１号証）
　引用例２：特開平５−２２０２５９号公報（甲第２号証）
　引用例３：特開平５−１３１０５５号公報（甲第３号証）
　引用例４：特開平５−２２０２６０号公報
　引用例５：特開平５−２２０２６１号公報
　引用例６：特開平４−２３１０８６号公報
　　
（３−４−２）引用例に記載された発明
　i．本件出願前に国内において頒布された引用例１〔実願昭６２−５６３９２号（実開昭６３−１６３８７４号）のマイクロフィルム〕には、
　まず、第１の実施例として開示される、
「扉板６の中央部には、三角形状の特定入賞領域部としての仕切板７，７がパチンコ球の直径よりも幾分大きい程度の幅に対向して立設されており、この仕切板７，７の間には、扉板６が開放位置．．・にあるとき落下したパチンコ球８の貯留が可能となつている」（明細書５ページ５〜１１行）という記載、明細書４ページ１０行〜５ページ２行、明細書５ページ１１行〜６ページ１行、明細書６ページ１１〜１５行、明細書８ページ１７行〜９ページ１７行の記載、及び図面第１図〜図面第３図の記載からみて、
「内部が継続入賞口９及び通常入賞口１１に区画された入賞口５と、横方向の軸廻りに前記入賞口５を開閉しかつ開状態のときに上方から落下するパチンコ球８を前記入賞口５内に案内する扉板６と、該扉板６を開閉操作するソレノイド１９とを備えたパチンコ機の入賞装置において、前記扉板６は前記軸を前記入賞口５の下部近傍で軸支されており、前記扉板６が前記軸廻りに前側に揺動して前記入賞口５を開いた開状態のときにパチンコ球８を受けて前記軸よりも後側で貯留させかつ前記扉板６の閉動作時に貯留中のパチンコ球８を前記継続入賞口９へと案内する特定入賞領域部を前記扉板６に設け、前記特定入賞領域部は、前記パチンコ球の直径よりも幾分大きい程度の幅で前記扉板６に立設された一対の仕切板７を備えたパチンコ機の入賞装置。」（引用例１に記載された発明Ａ）、
　ついで、第２の実施例として開示される、
「第４図は、特定入賞領域部として仕切板７，７の他の実施例であつて、第２図に示したものに対応する対向した仕切板７，７が扉板６とは別体となつて入賞口５を形成する空間部２３の内壁２４に固着されている」（明細書６ページ１９行〜７ページ３行）という記載、明細書１０ページ１５〜１８行の記載、前記第１の実施例の記載、及び図面第４図の記載からみて、
「内部が継続入賞口９及び通常入賞口１１に区画された入賞口５と、横方向の軸廻りに前記入賞口５を開閉しかつ開状態のときに上方から落下するパチンコ球８を前記入賞口５内に案内する扉板６と、該扉板６を開閉操作するソレノイド１９とを備えたパチンコ機の入賞装置において、前記扉板６は前記軸を前記入賞口５の下部近傍で軸支されており、前記扉板６が前記軸廻りに前側に揺動して前記入賞口５を開いた開状態のときにパチンコ球８を受けて前記軸よりも後側で貯留させかつ前記扉板６の閉動作時に貯留中のパチンコ球８を前記継続入賞口９へと案内する特定入賞領域部を前記扉板６に設け、前記入賞口５が形成された基板２の内壁２４に、仕切板７を、パチンコ球の直径よりも幾分大きい程度の幅で下方に固着したパチンコ機の入賞装置。」（引用例１に記載された発明Ｂ）、
　さらに、第３の実施例として開示される、
「第５図は、特定入賞領域部の他の実施例であって・・・球受部２５は、第６図にも示すようにパチンコ球８を保持できるように入れ物のような形状をなして、底部２６と側壁２７と奥壁２８とからなる」（明細書７ページ４〜１４行）という記載、明細書１０ページ１９行〜１１ページ９行の記載、前記第１の実施例の記載、及び図面第５図と図面第６図の記載からみて、
「内部が継続入賞口９及び通常入賞口１１に区画された入賞口５と、横方向の軸廻りに前記入賞口５を開閉しかつ開状態のときに上方から落下するパチンコ球８を前記入賞口５内に案内する扉板６と、該扉板６を開閉操作するソレノイド１９とを備えたパチンコ機の入賞装置において、前記扉板６は前記軸を前記入賞口５の下部近傍で軸支されており、前記扉板６が前記軸廻りに前側に揺動して前記入賞口５を開いた開状態のときにパチンコ球８を受けて前記軸よりも後側で保持させかつ前記扉板６の閉動作時に保持中のパチンコ球８を前記継続入賞口９へと案内する球受部２５を設け、該球受部２５は、前記扉板６の開放中に前記継続入賞口９へのパチンコ球８の侵入を阻止し、前記球受部２５は、前記パチンコ球８が１個収まる程度に左右に間隔をあけた一対の側壁２７を備えたパチンコ機の入賞装置。」（引用例１に記載された発明Ｃ）、
を構成とする各発明が記載されているものと認められる。
　　　
　ii．本件出願前に国内において頒布された引用例２〔特開平５−２２０２５９号公報〕には、
「作動レバー５６０は支軸５６１を軸芯として回動自在に設けられ、その一端部（後端部）が前記ソレノイド５５０の作動ロッド５５１に取り付けられている。この作動レバー５６０の他端側（前端側）には第１のアーム５６２と第２のアーム５６３が取り付けられている。そして、その第１のアーム５６２の先端部には長孔５６２ａが設けられ、該長孔５６２ａ中に、前記開閉扉５２０の基部側アーム部５２７のピン５２８が挿通されている。一方、前記第２のアーム５６３の先端部には前記保留部材５８０が一体に設けられている。」（１２ページ２１欄４６行〜２２欄６行）、「ソレノイド５５０が励磁されると・・・保留部材５８０の先端側が上昇して継続入賞口５３３ａに入った球がその保留部材５８０の先端部で係止されてそのまま保留され得る状態となる。従って、このとき継続入賞口５３３ａに球が１個入ると、その球は・・・継続入賞口５３３ａ中に保留される」（１２ページ２２欄１４〜２３行）、「ソレノイド５５０が消磁されると・・・保留部材５８０の先端側が下降してその球の保留を解除される。そして、その保留を解除された球がその継続入賞口５３３ａ中を流下してその直下の継続入賞検出器５３３・・・に検出される」（１２ページ２２欄２６〜３２行）という記載、及び【図２５】（２１ページ）、【図２６】（３０ページ）、【図２７】（３０ページ）にて、パチンコ球の直径よりも幾分大きい程度の幅で継続入賞口５３３ａを区画するように仕切板を突設する様が示されていることからみて、
「内部が継続入賞口５３３ａ及び一般入賞口５３４ａ、５３５ａに区画された大入賞口５３１と、横方向のピン５２８廻りに前記大入賞口５３１を開閉しかつ開状態のときに上方から落下する遊技球を前記大入賞口５３１内に案内する開閉扉５２０と、該開閉扉５２０を開閉操作するソレノイド５５０とを備えたパチンコ遊技機の変動入賞装置５００において、前記開閉扉５２０は前記ピンを前記大入賞口５３１の下部近傍で回動自在に取り付けられており、前記開閉扉５２０が前記ピン５２８廻りに前側に揺動して前記大入賞口５３１を開いた開状態のときに遊技球を受け入れて前記ピン５２８よりも後側で保留させかつ前記開閉扉５２０の閉動作時に保留中の遊技球を流下する継続入賞口５３３ａを設け、前記開閉扉５２０の開放中に前記継続入賞口５３３ａへ入った遊技球を係止する保留部材５８０を、前記ソレノイド５５０と前記開閉扉５２０とを連動させる作動レバー５６０に設け、前記大入賞口５３１において仕切板をパチンコ球の直径よりも幾分大きい程度の幅で前記継続入賞口５３３ａを区画するように突設したパチンコ遊技機の変動入賞装置５００。」
を構成とする発明が記載されているものと認められる。
　　　
　iii．本件出願前に国内において頒布された引用例３〔特開平５−１３１０５５号公報〕には、４ページ６欄２８〜３０行、５ページ８欄３〜１８行、５ページ８欄４２〜４７行、６ページ１０欄４〜１６行、及び【図５】（１８ページ）、【図１３】（２０ページ）の記載からみて、
「内部にＶ入賞集合樋１１４，１１５及び球寄せ樋１２３，１２４が設けられた開口７２と、横方向の軸９３廻りに前記開口７２を開閉しかつ開状態のときに上方から落下するパチンコ球を前記開口７２内に案内する開閉板３と、該開閉板３を開閉操作する駆動ソレノイド１０８とを備えた弾球遊技機の可変入賞球装置４において、前記開閉板３は前記軸９３を前記開口７２の下部近傍で回動自在に保持されており、前記開口７２が形成されたベース板７１の上壁に、前記開閉板３が閉状態のときに前記開閉板３の後面が当接する当接部材を下方に突設した弾球遊技機の可変入賞球装置４。」
を構成とする発明が記載されているものと認められる。
　　　
　iv．本件出願前に国内において頒布された引用例４〔特開平５−２２０２６０号公報〕、引用例５〔特開平５−２２０２６１号公報〕及び引用例６〔特開平４−２３１０８６号公報〕には、引用例２に記載された発明と同様の発明が記載されているものと認められる。
　　　
（３−４−３）対比及び判断
　i．本件発明（前者）と引用例１に記載された発明Ａ（後者）とを対比すると、後者の「継続入賞口９及び通常入賞口１１」、「入賞口５」、「軸」、「パチンコ球８」、「扉板６」、「ソレノイド１９」、「パチンコ機」、「軸支」、「貯留」、「継続入賞口９」、「特定入賞領域部」、「パチンコ球の直径よりも幾分大きい程度の幅で」、「立設」及び「仕切板７」がそれぞれの機能に照らし、それぞれ、前者の「複数個の通路（４３）」、「開口部（３２）」、「枢軸（６４）」、「遊技球（Ｂ）」、「開閉板（２９）」、「開閉駆動手段（５６）」、「弾球遊技機」、「枢支」、「停留」、「特定通路（４３ａ）」、「停留部（６７）」、「遊技球が１個収まる程度に左右に間隔をあけて」、「突設」及び「側板（６８）」に相当するものと認められるから、両者は、以下の点において、一致並びに相違しているものと認められる。
　一致点
「内部が複数個の通路に区画された開口部と、横方向の枢軸廻りに前記開口部を開閉しかつ開状態のときに上方から落下する遊技球を前記開口部内に案内する開閉板と、該開閉板を開閉操作する開閉駆動手段とを備え、前記複数個の通路の何れかを特定通路とした弾球遊技機の入賞装置において、前記開閉板は前記枢軸を前記開口部の下部近傍で枢支されており、前記開閉板が前記枢軸廻りに前側に揺動して前記開口部を開いた開状態のときに遊技球を受けて停留させかつ前記開閉板の閉動作時に停留中の遊技球を前記特定通路へと案内する停留部を前記開閉板に設け、前記停留部は、前記遊技球が１個収まる程度に左右に間隔をあけて前記開閉板に突設された一対の側板を備えた弾球遊技機の入賞装置。」
　相違点
ア．開閉板に設けられた停留部が、遊技球を、前者は、枢軸よりも前側で停留させるのに対し、後者は、枢軸よりも後側で停留させる点。
イ．前者が、開閉板の開放中に特定通路への遊技球の侵入を阻止する阻止部を、開閉駆動手段と前記開閉板とを連動させる連動部材に設けているのに対し、後者が、かかる構成を備えていない点。
ウ．前者が、開口部が形成されたフロント板の上壁に、開閉板が閉状態のときに前記開閉板の後面が当接する当接リブを、前記開閉板側の側板に対して遊技球の直径よりも小さい間隔で上下に対向するように左右に間隔をあけて下方に突設しているのに対し、後者が、かかる構成を備えていない点。
　　　
　ii．そこで、これらの相違点について検討するに、
引用例１に記載された発明Ｂの「継続入賞口９及び通常入賞口１１」、「入賞口５」、「軸」、「パチンコ球８」、「扉板６」、「ソレノイド１９」、「パチンコ機」、「軸支」、「貯留」、「継続入賞口９」、「特定入賞領域部」、「基板２」、「内壁２４」、「仕切板７」、「パチンコ球の直径よりも幾分大きい程度の幅で」及び「固着」がそれぞれの機能に照らし、それぞれ、前者の「複数個の通路（４３）」、「開口部（３２）」、「枢軸（６４）」、「遊技球（Ｂ）」、「開閉板（２９）」、「開閉駆動手段（５６）」、「弾球遊技機」、「枢支」、「停留」、「特定通路（４３ａ）」、「停留部（６７）」、「フロント板（２６）」、「上壁（３３）」、「リブ（７２）」、「左右に間隔をあけて」及び「突設」に相当するものと認められるから、引用例１に記載された発明Ｂには、「開口部が形成されたフロント板の上壁に、リブを、左右に間隔をあけて下方に突設した」構成が、
また、引用例３に記載された発明の「Ｖ入賞集合樋１１４，１１５及び球寄せ樋１２３，１２４」、「開口７２」、「軸９３」、「パチンコ球」、「駆動ソレノイド１０８」、「可変入賞球装置４」、「回動自在に保持」及び「ベース板７１」がそれぞれの機能に照らし、それぞれ、前者の「複数個の通路（４３）」、「開口部（３２）」、「枢軸（６４）」、「遊技球（Ｂ）」、「開閉駆動手段（５６）」、「入賞装置」、「枢支」及び「フロント板（２６）」に相当するものと認められるから、
引用例３に記載された発明には、「開口部が形成されたフロント板の上壁に、前記開閉板が閉状態のときに前記開閉板の後面が当接する当接リブを下方に突設した」構成が、それぞれ備わっているものと認められ、
そうすると、相違点ウ．の前者の構成のうち、「開口部が形成されたフロント板の上壁に、リブを左右に間隔をあけて下方に突設した」り、「開口部が形成されたフロント板の上壁に、開閉板が閉状態のときに前記開閉板の後面が当接する当接リブを突設した」りする構成は、引用例１に記載された発明Ｂまたは引用例３に記載された発明に備わっているものと認められる。
　しかし、相違点ア．の前者の構成である、「開閉板に設けられた停留部が、遊技球を、枢軸よりも前側で停留させ」る構成、相違点イ．の前者の構成である、「開閉板の開放中に特定通路への遊技球の侵入を阻止する阻止部を、開閉駆動手段と前記開閉板とを連動させる連動部材に設けている」構成、
及び、相違点ウ．の前者の構成のうち、「開口部が形成されたフロント板の上壁に、リブを、開閉板側の側板に対して遊技球の直径よりも小さい間隔で上下に対向するように左右に間隔をあけて下方に突設した」構成は、何れの引用例に記載された発明にも備わっていないものと認められる。
　なお、引用例１に記載された発明Ｃの「継続入賞口９及び通常入賞口１１」、「入賞口５」、「軸」、「パチンコ球８」、「扉板６」、「ソレノイド１９」、「パチンコ機」、「軸支」、「保持」、「継続入賞口９」、「球受部２５」及び「側壁２７」がそれぞれの機能に照らし、それぞれ、前者の「複数個の通路（４３）」、「開口部（３２）」、「枢軸（６４）」、「遊技球（Ｂ）」、「開閉板（２９）」、「開閉駆動手段（５６）」、「弾球遊技機」、「枢支」、「停留」、「特定通路（４３ａ）」、「停留部（６７）」及び「側板（６８）」に相当するものと認められるところ、引用例１に記載された発明Ｃの「球受部２５」は、特定通路への遊技球の侵入を阻止する機能を持つが、その機能は「停留部」の機能そのものでもあり、かつ、前者において「停留部」と「阻止部」は別個のものとされているのであるから、引用例１に記載された発明Ｃの「球受部２５」は、前者の「停留部」に相当するものであって、「阻止部」は備わっていないものと認められる。
　また、引用例２，４〜６に記載された発明の「継続入賞口５３３ａ及び一般入賞口５３４ａ、５３５ａ」、「大入賞口５３１」、「ピン」、「開閉扉５２０」、「ソレノイド５５０」、「パチンコ遊技機」、「変動入賞装置５００」、「回動自在に取り付けられ」、「保留」、「継続入賞口５３３ａ」、「作動レバー５６０」及び「基板」がそれぞれの機能に照らし、それぞれ
前者の「複数個の通路（４３）」、「開口部（３２）」、「枢軸（６４）」、「開閉板（２９）」、「開閉駆動手段（５６）」、「弾球遊技機」、「入賞装置」、「枢支され」、「停留」、「特定通路（４３ａ）」、「連動部材（５７）」及び「フロント板（２６）」に相当するものと認められるから、前者の「阻止部」も、引用例２，４〜６に記載された発明の「保留部材」も、開閉駆動手段と開閉板とを連動させる連動部材に設けられている点で共通しているが、前者の「阻止部」が特定通路への遊技球の侵入を阻止するものであるのに対し、引用例２，４〜６に記載された発明の「保留部材」が特定通路へ入った遊技球を係止するものであること、すなわち、引用例２，４〜６に記載された発明においては、特定通路と「保留部材」とによって、前者の「停留部」に相当するものが構成されていると認められること、前者において「停留部」と「阻止部」は別個のものとされていること、からすると、引用例２，４〜６に記載された発明において、その「保留部材」は、前者の「阻止部」に相当せず、「阻止部」は備わっていないものと認められる。
　そして、前者は、相違点ア．の前者の構成である、「開閉板に設けられた停留部が、遊技球を、枢軸よりも前側で停留させ」る構成により、「遊技球の停留状態が遊技者に見えやすくなり、また遊技球が停留部６７に停留した状態ではその遊技球の自重により開閉板２９に対して開方向の力が加わって開閉板２９が安定し、遊技球の停留状態が安定する」という作用効果を明らかに奏し、相違点イ．の前者の構成である、「開閉板の開放中に特定通路への遊技球の侵入を阻止する阻止部を、開閉駆動手段と前記開閉板とを連動させる連動部材に設けている」構成により、訂正明細書の段落【００３８】中の「阻止部７３が連動部材５７と一体に作動するため、簡単な構造で連動部材５７により阻止部７３を直接的に駆動できる利点がある」という作用効果を奏し、相違点ウ．の前者の構成のうち、「開口部が形成されたフロント板の上壁に、リブを、開閉板側の側板に対して遊技球の直径よりも小さい間隔で上下に対向するように左右に間隔をあけて下方に突設した」構成により、訂正明細書の段落【００３８】中の「当接リブ７２により、開閉板２９側の側板６８の立設高さを低く抑えつつ、側板６８と当接リブ７２とで停留部６７の左右を確実に規制して、停留部６７に入った遊技球を特定通路４３ａ側に確実に案内できる」という作用効果を奏するものと認められる。
　したがって、前者は、後者、引用例１に記載された発明Ｂ及びＣ並びに引用例２〜６に記載された各発明に基いて容易に発明をすることができたものであるとすることができない。
　　　　
（３−５）特許法第３６条第５項第１，２号違反について
　上記（３−３）の停留部６７の左右を確実に規制する構成は、上記（２−１）における訂正事項ｄ〜ｆ及びｐ〜ｒによって明確となったから、本件請求項１に係る特許は、特許法第３６条第５項第１，２号に規定する要件を満たさない特許出願に対してされたものであるとすることができない。
　　　
４．まとめ
　以上のとおりであるから、特許異議申立ての理由及び証拠並びに取消理由によっては本件発明についての特許を取り消すことはできない。
　また、他に本件発明の特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１７年１０月１８日（２００５．１０．１８）
【訂正の要旨】
審決（決定）の【理由】欄参照。
（５４）【発明の名称】
弾球遊技機の入賞装置
（５７）【特許請求の範囲】
　【請求項１】内部が複数個の通路（４３）に区画された開口部（３２）と、横方向の枢軸（６４）廻りに前記開口部（３２）を開閉しかつ開状態のときに上方から落下する遊技球（Ｂ）を前記開口部（３２）内に案内する開閉板（２９）と、該開閉板（２９）を開閉操作する開閉駆動手段（５６）とを備え、前記複数個の通路（４３）の何れかを特定通路（４３ａ）とした弾球遊技機の入賞装置において、
前記開閉板（２９）は前記枢軸（６４）を前記開口部（３２）の下部近傍で枢支されており、
前記枢軸（６４）廻りに前側に揺動して前記開口部（３２）を開いた
前記枢軸（６４）よりも前側で
前記停留部（６７）は、前記遊技球が１個収まる程度に左右に間隔をあけて前記開閉板（２９）に突設された一対の側板（６８）を備え、
、
前記
対して前記遊技球（Ｂ）の直径よりも小さい間隔で上下に
【発明の詳細な説明】
　【０００１】
　【産業上の利用分野】
　本発明は、パチンコ機、アレンジボール機等の弾球遊技機の入賞装置に関するものである。
　【０００２】
　【従来の技術】
　パチンコ機等の弾球遊技機において、遊技盤に装着する入賞装置として、従来、内部に複数個の通路を有する開口部の前面側に開閉板を設け、この開閉板をソレノイド等の開閉駆動手段により開閉するように構成し、所定の条件を満足した時に開閉駆動手段が作動して開閉板が開放し、上方から落下する遊技球を開閉板により開口部内の各通路に案内するようにしたものがある。
　【０００３】
　この種の入賞装置は、複数個の通路の内、ある特定の通路を通過する遊技球を検出する検出スイッチを設け、開閉板が１回開閉動作する間に、検出スイッチが遊技球を１個検出すれば、それによって他の異なる入賞装置等を作動させるような態様で使用されている。
　【０００４】
　【発明が解決しようとする課題】
　従来の開閉板は板状であって、上方から落下する遊技球をその落下位置及び方向等に応じて単に開口部内の各通路側に案内するだけであるため、開閉板が１回開閉動作する間に、場合によっては特定の通路を多数個の遊技球が通過し、検出スイッチがその都度遊技球を検出することになる。従って、開閉板が１回開閉動作する間に、検出スイッチによる遊技球の検出を最大１回のみ有効にする場合には、検出スイッチが最初の遊技球を検出したときの信号のみを記憶しておき、その後の信号をキャンセルする必要がある。
　【０００５】
　また開閉板を経て開口部内に入った遊技球は、全て何れかの通路を通って通過して行くので、遊技者にとっては、特定の通路に遊技球が入ったか否か判断し難い。このため、特定の通路に遊技球が入れば、別の入賞装置が作動して新たな利益状態になることが判っていても、ゲーム中にそれを確実に判断し難く、場合によっては、次に大きな利益状態が得られるにも拘らず、途中でゲームを断念するようなことがある。
　【０００６】
　本発明は、このような従来の課題に鑑み、開閉板の１回の開閉動作に対して特定通路を通る遊技球の最大個数を制限でき、しかも特定通路に遊技球が入ったか否かを遊技者が目視によって判断できる弾球遊技機の入賞装置を提供することを目的とする。
　【０００７】
　【課題を解決するための手段】
　本発明は、内部が複数個の通路４３に区画された開口部３２と、横方向の枢軸６４廻りに前記開口部３２を開閉しかつ開状態のときに上方から落下する遊技球Ｂを前記開口部３２内に案内する開閉板２９と、該開閉板２９を開閉操作する開閉駆動手段５６とを備え、前記複数個の通路４３の何れかを特定通路４３ａとした弾球遊技機の入賞装置において、
前記開閉板２９は前記枢軸６４を前記開口部３２の下部近傍で枢支されており、
前記枢軸６４廻りに前側に揺動して前記開口部３２を開いた
前記枢軸６４よりも前側で
前記停留部６７は、前記遊技球が１個収まる程度に左右に間隔をあけて前記開閉板２９に突設された一対の側板６８を備え、
、
前記
対して前記遊技球Ｂの直径よりも小さい間隔で上下に
　【０００８】
　【実施例】
　以下、本発明の実施例を図面に基づいて詳述する。図１乃至図７は本発明をパチンコ機に採用した場合の実施例を例示する。図７はパチンコ機の全体を示し、図７において、１は前面枠で、機枠の前面側に開閉自在に枢着されている。前面枠１にはガラス扉２及び前面板３が装着され、またその後側に遊技盤４が着脱自在に装着されている。
　【０００９】
　遊技盤４の前面には、発射された遊技球Ｂを案内するガイドレール５が設けられると共に、障害釘の他、入賞口６，７，８，９，１０、始動口１１，１２、図柄表示装置１３、始動ゲート１４、入賞装置１５、特別入球装置１６、アウト口１７、及び各種の表示ランプが夫々設けられている。
　【００１０】
　図柄表示装置１３は３個の図柄表示部を有し、その各図柄表示部は１０種類の異なる図柄、例えば０〜９までの数字図柄をセグメント表示するようになっている。始動ゲ−ト１４は図柄表示装置１３の変動開始用であって、図柄表示装置１３の下方近傍に配置されている。入賞装置１５は所謂当たり用であって、図柄表示装置１３の各図柄表示部の変動後における停止図柄が、予め設定された当たり図柄を表示する時に、所定時間だけ開状態に作動するようになっている。
　【００１１】
　特別入球装置１６は所謂大当たり用であって、図６に示すように、入賞装置１５内に設けられた検出スイッチ１８が遊技球Ｂを検出した時に、始動口１１，１２の何れかに既に遊技球Ｂが入っていれば所定時間だけ開くようになっている。
　【００１２】
　前面板３には上皿１９が装着され、この上皿１９の前縁部に、球抜きレバー２０が設けられている。前面枠１の下部には下皿２１と発射装置２２用の操作ハンドル２３とが設けられ、この操作ハンドル２３を操作すれば、上皿１９から遊技球Ｂが１個づつ発射部に供給され、その遊技球Ｂを発射モーターの作動によりガイドレール５に沿って発射するようになっている。
　【００１３】
　入賞装置１５は、図１〜図６に示すように、フロント板２６、下部カバー２７、後部カバー２８及び開閉板２９から構成され、入賞装置１５の後部を遊技盤４のルーター孔３０に挿入した状態で、フロント板２６を介して遊技盤４にねじ３１により取り付けられている。
　【００１４】
　フロント板２６には、上部に矩形状の開口部３２が設けられ、また後面に、開口部３２に対応して上壁３３と左右の上部側壁３４とから成りかつ下方が開口したコ字状の上部周壁３５が後方へ突設されている。各上部側壁３４の下側には第１取付ボス３６と、中間に凹部を有する枢支リブ３７と、第１取付ボス３６よりも低い第２取付ボス３８とがこの順に突設されている。
　【００１５】
　下部カバー２７は底壁３９と左右の下部側壁４０とから成る上方が開口したコ字状の下部周壁４１を有し、この下部周壁４１とフロント板２６の上部周壁３５とによりフロント板２６の後側に矩形状筒部を構成し、この筒部内に通路４３が形成されている。
　【００１６】
　底壁３９の後端には下方に突出する後壁４４が形成され、この後壁４４の中央部には左右に間隔をあけて後方へ突出する一対のスイッチ取付部４５が形成されている。底壁３９及び各スイッチ取付部４５の上部には、前後方向に特定通路４３ａを形成するリブ４６が突設され、またスイッチ取付部４５には、特定通路４３ａを通過した遊技球Ｂを検出するように、孔付きの検出スイッチ１８が着脱自在に後方から装着されている。
　【００１７】
　また下部側壁４０には、図３に示すように、第２取付ボス３８が挿入される溝４７が形成されると共に、この溝４７の後側に筒状のネジ孔４８が形成され、第１取付ボス３６と第２取付ボス３８との間に下部側壁４０を挿入した状態でネジ孔４８を介して下部カバー２７がフロント板２６に皿ネジ４９により取り付けられている。
　【００１８】
　後部カバー２８は前後方向が開口した矩形枠部５０と、この矩形枠部５０の前端両側に形成された取付板５１とを備え、この取付板５１が左右の通路４３の後方を閉塞するように第１取付ボス３６にネジ５２により取り付けられている。矩形枠部５０の下側には、特定通路４３ａ内に突出するガイド板５３が形成され、遊技球Ｂを検出スイッチ１８の孔の方向へ案内している。また矩形枠部５０の両側の下方には凸壁部５４が設けられ、この凸壁部５４内が開口部３２に連通する球落下通路５５となっている。
　【００１９】
　矩形枠部５０の内側には、ソレノイド（開閉駆動手段）５６と連動部材５７とが前後方向に配置され、ソレノイド５６の可動鉄心５８に固定された連動部材５７が前後方向に移動自在とされている。ソレノイド５６は矩形枠部５０の側壁に両側からネジ５９により取り付けられ、また可動鉄心５８はバネ６０により後方に付勢されている。
　【００２０】
　連動部材５７は両端が可動鉄心５８に固定された取付ベース６１と、この取付ベース６１の前端両側から左右に突出し更にその先端が前方に突出した左右一対の係合アーム６２とを備えている。そして、各係合アーム６２の前端部は下方に突出し、その先端には後下方へ傾斜した係合部６３が設けられ、通路４３内で係合部６３が前後移動するようになっている。
　【００２１】
　開閉板２９は開口部３２を開閉し、かつ開状態の時に上方から落下する遊技球Ｂを開口部３２内に案内するためのものであって、閉位置と開位置との間で前後方向に回動するように下端部の各枢軸６４が枢支リブ３７の凹部と下部側壁４０との間で枢支されている。
　【００２２】
　開閉板２９には、左右両端に側部リブ６５が、中間部分に側部リブ６５よりも若干低い中間リブ６６が夫々設けられ、これらのリブ６５，６６により開閉板２９が補強されている。また開閉板２９の中央には、この開閉板２９が開状態の時に、開口部３２内の特定通路４３ａに入ろうとする遊技球Ｂを受けて停留させ、かつ閉時に遊技球Ｂを特定通路４３ａ側へと案内する停留部６７が一体に設けられている。
　【００２３】
　停留部６７は遊技球Ｂが１個収まる程度に左右に間隔をあけて突設された側板６８と、この各側板６８を連結する連結板６９と、この連結板６９の中央部分で遊技球Ｂを支持する支持リブ７０とを有し、開閉板２９が閉塞する時に、通路４３内で遊技球Ｂが落下して特定通路４３ａに入るように連結板６９の後端が円弧状に短く形成されている。
　【００２４】
　開閉板２９の側部リブ６５の後端には、側面視Ｕ字状で上方開放の被係合部７１が設けられ、連動部材５７が前方へ移動する時に、係合部６３が被係合部７１に後方から当接して開閉板２９を開状態とし、また連動部材５７が後方へ移動する時に、被係合部７１を引っ掛けて開閉板２９を閉状態とするように、係合部６３と被係合部７１とが係合している。従って、連動部材５７の前後移動により開閉板２９が容易に開閉する。
　【００２５】
　なお、フロント板２６の上壁３３には開閉板２９の側板６８に対向するように左右に間隔をあけて当接リブ７２が下方に突設され、開閉板２９が閉状態の時に、開閉板２９の後面が当接するようになっている。この当接リブ７２により、開閉板２９側の側板６８の立設高さを低く抑えつつ、側板６８と当接リブ７２とで停留部６７の左右を確実に規制して、停留部６７に入った遊技球を特定通路４３ａ側に確実に案内できる。側板６８の立設高さを十分に高くすれば、上記のような当接リブ７２がなくても同様の効果を奏することはできるが、側板６８は開閉板２９の開閉動作に伴って移動するため、その高さが高くなればそれだけその移動時に他の部材と干渉し易くなり、例えば他の部材の配置位置を全体に後方に移動させる必要が生じ、入賞装置が前後方向に大型化する等の新たな問題点が発生する。また、当接リブ７２は、開閉板２９を所定の閉位置で規制する機能をも同時に備えていることにより、これらの機能を別個の部材で実現する場合と比べて構成を簡略化できる。また取付ベース６１の前端には、前方に突出する阻止部７３が設けられ、この阻止部７３は連動部材５７が前方へ移動した時に、停留部６７の後方に位置し、遊技球Ｂが特定通路４３ａ側へ進入するのを阻止している。従って、阻止部７３はソレノイド５６に連動して阻止位置と阻止解除位置との間で前後方向に移動自在である。
　【００２６】
　次に、上記構成における動作を説明する。通常時にはソレノイド５６が消磁状態にあり、連動部材５７がバネ６０により後方に付勢されているので、連動部材５７が後方位置にある。このため、開閉板２９は、図６に示すように、枢軸６４から上方に起立した閉位置にあり、開口部３２を前面側から閉じている。従って、上方から落下する遊技球Ｂは開閉板２９の前側を通過して下方に落下する。
　【００２７】
　遊技球Ｂが始動ゲ−ト１４に入ると、図柄表示装置１３の各図柄表示部の図柄が一定時間だけ変動する。そして、図柄表示装置１３の各図柄表示部の停止図柄が当たり図柄になると、入賞装置１５のソレノイド５６が励磁し、その可動鉄心５８がバネ６０に抗して前方へ移動する。これによって連動部材５７が前方へ移動し、その係合アーム６２前端の係合部６３が開閉板２９を前方へ押動するので、開閉板２９は図１に示すように、枢軸６４廻りに開位置まで回動する。この時、開閉板２９は開口部３２の下端縁に当接して規制されている。
　【００２８】
　開閉板２９が開位置まで回動すると、上方から落下する遊技球Ｂは、開閉板２９に当たった後、この開閉板２９により開口部３２側に案内されるため、開口部３２側へと入って行く。この時、開閉板２９の中央部に落下する遊技球Ｂがあれば、その最初の遊技球Ｂは開閉板２９に当たった後、図１に示す如く停留部６７によって受け止められて停留する。
　【００２９】
　従って、開閉板２９が開いても、遊技球Ｂが直ちに特定通路４３ａに入ることはなく、また停留部６７に遊技球Ｂが停留状態にあることを遊技者は目視により確認できる。また遊技球Ｂが停留部６７に停留する時、停留部６７の後方には阻止部７３が位置しているため、停留部６７を乗り越えて遊技球Ｂが特定通路４３ａ側に進入することはない。
　【００３０】
　開閉板２９の左右両側に落下した遊技球Ｂは、開閉板２９に当たって開口部３２側に案内された後、左右両側の通路４３を経て後部カバー２８の球落下通路５５に入り、下方に落下し回収されて行く。また停留部６７に遊技球Ｂが１個停留すれば、その後に開閉板２９の中央部側に落下する後続の遊技球Ｂは、停留部６７に停留状態にある遊技球Ｂ、或いは開閉板２９等に当たった後、停留部６７の両側に振り分けられ、開口部３２の両側の通路４３を経て球落下通路５５へと移動する。
　【００３１】
　開閉板２９が開いて所定時間経過すると、ソレノイド５６が消磁し、バネ６０によって可動鉄心５８、連動部材５７が後方へ移動するため、図６に示すように、開閉板２９が閉位置まで枢軸６４廻りに回動し、開口部３２を閉じる。そして、停留部６７に停留されていた遊技球Ｂが下方へ落下し、特定通路４３ａを経て検出スイッチ１８側へと移動し、検出スイッチ１８の孔から下方へと落下するので、検出スイッチ１８が遊技球Ｂを検出する。検出スイッチ１８が遊技球Ｂを検出した時、既に始動口１１，１２の何れかに遊技球Ｂが入っていれば、次に特別入球装置１６が作動する。
　【００３２】
　上記構成によれば、開口部３２の後方にソレノイド５６を設け、このソレノイド５６と開閉板２９とを連動させる連動部材５７を前後方向に設けているため、入賞装置１５を上下方向及び左右方向に対してコンパクトに構成することができ、遊技盤４の前側から入賞装置１５を装着することができる。
　【００３３】
　また、連動部材５７を前後方向に摺動自在に設け、この連動部材５７が前方へ移動した時に、停留部６７の後方に位置して遊技球Ｂの特定通路４３ａへの進入を阻止する阻止部７３を連動部材５７に設けているため、停留部６７を小さくでき、しかも、開閉板２９を閉状態とした時、阻止部７３が後方へ移動するので、開閉板２９の後面の近傍で遊技球Ｂを下方へ落下させることができ、通路４３の奥行きを多くとる必要がなく、入賞装置１５の前後方向の長さを短くすることができる。
　【００３４】
　なお、本実施例では、パチンコ機の入賞装置１５として例示したが、本発明は、パチンコ機用に限定されるものではなく、アレンジボール機等における各種の入賞装置においても同様に実施できることは言うまでもない。また停留部６７は遊技球Ｂを２個若しくはそれ以上の一定数停留させるようにしても良く、その個数は実施例の１個に限定されるものではない。更に停留部６７は、遊技球Ｂを停留できる構造であれば、本実施例に限定されるものではない。
　【００３５】
　なお、内部が複数個の通路４３に区画された開口部３２と、この開口部３２を開閉しかつ開状態の時に上方から落下する遊技球Ｂを該開口部３２内に案内する開閉板２９と、この開閉板２９を開閉操作する開閉駆動手段５６と、複数個の通路４３の内、特定通路４３ａを通過する遊技球Ｂを検出する検出スイッチ１８とを備えた弾球遊技機の入賞装置において、開口部３２の後方に開閉駆動手段５６を設け、この開閉駆動手段５６と開閉板２９とを連動させる連動部材５７を前後方向に設け、開閉板２９が開状態の時に、上方から落下した遊技球Ｂを受けて停留させ、かつ開閉板２９の閉時に該遊技球Ｂを前記特定通路４３ａ側へと案内する停留部６７を前記特定通路４３ａに対応して開閉板２９に設けた場合には、開閉板２９が１回開閉動作する間に、特定の通路４３ａを通過して検出スイッチ１８により検出される遊技球Ｂの最大数を所定数、例えば１個に確実に制限でき、検出スイッチ１８が不要な遊技球Ｂを検出することがなく、しかも特定通路４３ａに遊技球Ｂが入ったか否かを遊技者が目視により確認し確実に判断することができると共に、入賞装置１５を上下方向及び左右方向に対してコンパクトに構成することができ、遊技盤４の前側から入賞装置１５を容易に装着することができる。
　【００３６】
　また連動部材５７の前端部に係合部６３を設け、連動部材５７が前方へ移動した時に開閉板２９を開状態とし、連動部材５７が後方へ移動した時に開閉板２９を閉状態とするように、係合部６３が係合する被係合部７１を開閉板２９に設けた場合には、連動部材５７の前後移動により開閉板２９の開閉操作を容易に行うことができる。
　【００３７】
　更に連動部材５７を前後方向に摺動自在に設け、この連動部材５７が前方へ移動した時に、停留部６７の後方に位置して遊技球Ｂの特定通路４３ａへの進入を阻止する阻止部７３を連動部材５７に設けた場合には、停留部６７を小さくしても特定通路４３ａに遊技球Ｂが進入することはなく、しかも、開閉板２９を閉状態とした時、阻止部７３が後方へ退避するので、開閉板２９の後面近傍で遊技球Ｂを下方へ落下させることができ、入賞装置１５の前後方向の長さを短くすることができる。
　【００３８】
　【発明の効果】
　本発明によれば、内部が複数個の通路４３に区画された開口部３２と、横方向の枢軸６４廻りに開口部３２を開閉しかつ開状態のときに上方から落下する遊技球Ｂを開口部３２内に案内する開閉板２９と、該開閉板２９を開閉操作する開閉駆動手段５６とを備え、複数個の通路４３の何れかを特定通路４３ａとした弾球遊技機の入賞装置において、
開閉板２９は枢軸６４を開口部３２の下部近傍で枢支されており、
枢軸６４廻りに前側に揺動して開口部３２を開いた
枢軸６４よりも前側で
停留部６７は、遊技球が１個収まる程度に左右に間隔をあけて開閉板２９に突設された一対の側板６８を備え、
、
対して遊技球Ｂの直径よりも小さい間隔で上下に
　更に、当接リブ７２により、開閉板２９側の側板６８の立設高さを低く抑えつつ、側板６８と当接リブ７２とで停留部６７の左右を確実に規制して、停留部６７に入った遊技球を特定通路４３ａ側に確実に案内できる。また、当接リブ７２は、開閉板２９を所定の閉位置で規制する機能をも同時に備えていることにより、これらの機能を別個の部材で実現する場合と比べて構成を簡略化できる。
　【００３９】
【図面の簡単な説明】
　【図１】
　本発明の実施例を示す入賞装置の縦断面図（ａ）と平断面図（ｂ）である。
　【図２】
　本発明の実施例を示す入賞装置の正面図である。
　【図３】
　本発明の実施例を示す入賞装置の側面図である。
　【図４】
　本発明の実施例を示す入賞装置の一部省略平面図である。
　【図５】
　図１（ｂ）のＡ−Ａ線断面図である。
　【図６】
　本発明の実施例を示す入賞装置の閉状態の側面断面図である。
　【図７】
　本発明の実施例を示すパチンコ機の正面図である。
【符号の説明】
　１８　検出スイッチ
　２９　開閉板
　３２　開口部
　４３　通路
　４３ａ　特定通路
　５６　ソレノイド（開閉駆動手段）
　５７　連動部材
　６７　停留部
　７３　阻止部
　Ｂ　遊技球
【図面】